(57)【要約】      （修正有）【課題】ティシュペーパーへの異物の付着を防止すると共に、該ティシュペーパーに含まれたローションなどの水分の蒸発を防止する。【解決手段】ティシュペーパー２を収納する容器本体１の上面部１３にティシュペーパー取り出し口３が開穿されていると共に、ティシュペーパー取り出し口３に左右方向のスリット５を有するフィルム４が張設されたティシュペーパー収納容器１０において、容器本体の上側に箱状のカバー体６を設けると共に、カバー体６の前面部から天面部に及んでコ字状の切り込み線を形成することにより、切り込み線に沿って切離されたコ字状部分を前後方向に開閉可能な上蓋部８として機能させ、該上蓋部８を閉じた状態で該上蓋部８とカバー体６の前面部との間の隙間からティシュペーパー２を引き出せるように構成した。【選択図】図２
2010228789.tif 000002
【特許請求の範囲】
【請求項１】
ティシュペーパーを収容する容器本体の上面部にティシュペーパー取り出し口が開穿されていると共に、該ティシュペーパー取り出し口に左右方向のスリットを有するフィルムが張設されたティシュペーパー収納容器において、
前記容器本体の上側には、前後方向に開閉可能な上蓋部を有する箱状のカバー体が配設され、該上蓋部は該カバー体の前面部から天面部に及んで略コ字状に切り離して形成され、該上蓋部を閉じた状態で、該上蓋部と前記前面部との間の隙間から前記ティシュペーパーを連続的に引き出せるように構成したことを特徴とするティシュペーパー収納容器。
【請求項２】
上記フィルムが張設された上記ティシュペーパー取り出し口は、上記容器本体の前後方向中央よりも前方に偏倚して設けられ、且つ、前記フィルムに形成した上記スリットは、前記容器本体の前後方向中央部に配設されていることを特徴とする請求項１記載のティシュペーパー収納容器。
【請求項３】
上記上蓋部は上記カバー体の前面部における左右方向中央部に把持片を有し、且つ、該上蓋部はコ字状の切り込み線に沿って切り離して形成され、該切り込み線は、前記カバー体の天面部から前面部に亘って互いに平行に延びる左右一対の直線部と、該直線部の下端から前記把持片に向かって下方に傾斜する傾斜線部と、該傾斜線部の下端と前記把持片の左右両端とを結ぶ曲線部とから成り、前記切り込み線の破断強度は、前記直線部、前記曲線部及び前記傾斜線部の順に小さくなるように設定されていることを特徴とする請求項１又は２記載のティシュペーパー収納容器。
【発明の詳細な説明】
【技術分野】
【０００１】
本発明はティシュペーパー収納容器に関するものであり、特に、化粧落とし等において使用される保湿性のティシュペーパーを収納するのに適したティシュペーパー収納容器に関するものである。
【背景技術】
【０００２】
従来、この種のティシュペーパー収納容器は一般に直方体の箱形状に形成され、該ティシュペーパー収納容器内にティシュペーパーが積層状態で収納されている。そして、ティシュペーパー収納容器の上面部にはティシュペーパー取り出し口が開穿され、該ティシュペーパー取り出し口には透明なフィルムが張設されていると共に、該フィルムにスリットが左右方向に延びて形成されている。
【０００３】
上記の構成により、ティシュペーパー収納容器内のティシュペーパーは、前記フィルムに形成したスリットから引き出すことによって、ティシュペーパーを連続的に使用することができる（例えば、特許文献１参照）。
【先行技術文献】
【特許文献】
【０００４】
【特許文献１】特開２００２−２９５８０号公報
【発明の概要】
【発明が解決しようとする課題】
【０００５】
上記ティシュペーパー収納容器は、ティシュペーパー取り出し口に張設したフィルムのスリットから最上位のティシュペーパーを引き出すように構成されているが、このとき、次に使用するティシュペーパーの一部も引き出され、該ティシュペーパーの引き出された部分は、ティシュペーパー収納容器の上面に露出状態に載置される。
【０００６】
そのため、ティシュペーパー収納容器の周囲に塵埃等の異物が存在している場合には、該ティシュペーパーの露出部分に塵埃等の異物が付着する。又、ティシュペーパーにローション等が塗布されている場合には、該ローション等の水分が前記ティシュペーパーの露出部分から蒸発乾燥して、ティシュペーパーの商品価値が低下するという問題があった。
【０００７】
そこで、ティシュペーパーへの異物の付着を防止すると共に、該ティシュペーパーに含まれたローションなどの水分の蒸発を防止するために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、ティシュペーパーを収容する容器本体の上面部にティシュペーパー取り出し口が開穿されていると共に、該ティシュペーパー取り出し口に左右方向のスリットを有するフィルムが張設されたティシュペーパー収納容器において、  前記容器本体の上側には、前後方向に開閉可能な上蓋部を有する箱状のカバー体が配設され、該上蓋部は該カバー体の前面部から天面部に及んで略コ字状に切り離して形成され、該上蓋部を閉じた状態で、該上蓋部と前記前面部との間の隙間から前記ティシュペーパーを連続的に引き出せるように構成したことを特徴とするティシュペーパー収納容器を提供する。
【０００９】
この構成によれば、容器本体に収納されたティシュペーパーを使用する際は、先ず、カバー体に設けた上蓋部を開放して、ティシュペーパー取り出し口に張設したフィルムのスリットからティシュペーパーを引き出す。このとき、次に使用されるティシュペーパーの引き出し部分は、フィルム面に沿って容器本体の前側に移動する。
【００１０】
この後、上蓋部を閉じると、該上蓋部とカバー体の前面部との間の隙間にティシュペーパーの引き出し部が取り出し可能に係止される。従って、次に使用されるティシュペーパーは、上蓋部を閉じた状態のまま引き出すことができる。
【００１１】
請求項２記載の発明は、上記フィルムが張設された上記ティシュペーパー取り出し口は、上記容器本体の前後方向中央よりも前方に偏倚して設けられ、且つ、前記フィルムに形成した上記スリットは、前記容器本体の前後方向中央部に配設されていることを特徴とする請求項１記載のティシュペーパー収納容器を提供する。
【００１２】
この構成によれば、ティシュペーパー取り出し口に張設されたフィルムは、容器本体の上面部にて前方側に偏倚して配設されている。依って、該フィルムに形成したスリットからティシュペーパーを引き出してフィルムの表面に沿って移動させる際、該ティシュペーパーがフィルムの表面に摺接する部分の長さは、フィルムの偏倚量相当分だけ長くなる。
【００１３】
請求項３記載の発明は、上記上蓋部は上記カバー体の前面部における左右方向中央部に把持片を有し、且つ、該上蓋部はコ字状の切り込み線に沿って切り離して形成され、該切り込み線は、前記カバー体の天面部から前面部に亘って互いに平行に延びる左右一対の直線部と、該直線部の下端から前記把持片に向かって下方に傾斜する傾斜線部と、該傾斜線部の下端と前記把持片の左右両端とを結ぶ曲線部とから成り、前記切り込み線の破断強度は、前記直線部、前記曲線部及び前記傾斜線部の順に小さくなるように設定されていることを特徴とする請求項１記載のティシュペーパー収納容器を提供する。
【００１４】
この構成によれば、上蓋部を形成するためのコ字状の切り込み線の破断強度は、カバー体の天面部から前面部に亘って互いに平行に延びる直線部の方が、該直線部の下端から把持片に向かって下方に傾斜する傾斜線部、及び、該傾斜線部の下端と把持片の左右両端とを結ぶ曲線部よりも大きく、且つ、該曲線部の破断強度は前記傾斜線部の破断強度よりも大きくなるように設定されている。
【００１５】
従って、前記切り込み線を形成する直線部、傾斜線部及び曲線部のうち、把持片の両側に設けた傾斜線部が最も破断強度が小さいので、カバー体から上蓋部を切り離すべく、該カバー体の前面部から把持片を引き上げると、前記カバー体の前面部において傾斜線部から容易に破断を開始し、その後、直線部に沿って破断してコ字状の上蓋部が切り離される。
【発明の効果】
【００１６】
請求項１記載の発明は、上蓋部を閉じても該上蓋部とカバー体の前面部との間の隙間にティシュペーパーの引き出し部が取り出し可能に移動しているので、上蓋部を閉じたままティシュペーパーを片手で容易に取り出すことができる。
【００１７】
又、次に使用するティシュペーパーは、カバー体と容器本体との間の閉鎖空間内に収納されるので、該ティシュペーパーに塵埃等が付着することを防止できるとともに、ティシュペーパーに塗布したローションなどの水分が蒸発することを防止することができる。
【００１８】
請求項２記載の発明は、スリットから引き出されるティシュペーパーは、フィルムが容器本体の前方側に偏倚している分だけ、フィルムの表面に摺接する部分の長さが長くなるので、請求項１記載の発明の効果に加えて、ティシュペーパーをよりスムーズに引き出すことができる。
【００１９】
請求項３記載の発明は、把持片の両側に設けた傾斜線部が最も破断し易く、且つ、カバー体の天面部から前面部に亘って延びる直線部が最も破断し難いので、請求項１記載の発明の効果に加えて、コ字状の上蓋部を容易に切り離すことができると共に、店頭等における陳列時に天面部の支持強度を向上させることができる。
【図面の簡単な説明】
【００２０】
【図１】一実施例に係る上蓋部の閉鎖時におけるティシュペーパー収納容器の斜視図。
【図２】本発明の一実施例を示し、上蓋部の開放時におけるティシュペーパー収納容器の斜視図。
【図３】一実施例に係るティシュペーパー収納容器の横断面図。
【図４】一実施例に係るティシュペーパー収納容器の展開図。
【図５】一実施例に係るティシュペーパー収納容器の前面部からティシュペーパーを取り出すときの状態を示す斜視図。
【図６】一実施例に係るティシュペーパー収納容器の切り込み線の形状部分を説明する要部拡大展開図。
【発明を実施するための形態】
【００２１】
本発明は、ティシュペーパーへの異物の付着を防止すると共に、該ティシュペーパーに含まれたローションなどの水分の蒸発を防止するという目的を達成するために、ティシュペーパーを収容する容器本体の上面部にティシュペーパー取り出し口が開穿されていると共に、該ティシュペーパー取り出し口に左右方向のスリットを有するフィルムが張設されたティシュペーパー収納容器において、  前記容器本体の上側には、前後方向に開閉可能な上蓋部を有する箱状のカバー体が配設され、該上蓋部は該カバー体の前面部から天面部に及んで略コ字状に切り離して形成され、該上蓋部を閉じた状態で、該上蓋部と前記前面部との間の隙間から前記ティシュペーパーを連続的に引き出せるように構成したことによって実現した。
【実施例１】
【００２２】
以下、本発明の好適な実施例を図１乃至図６に従って説明する。尚、ティシュペーパー収納容器に収納されるティシュペーパーの種類としては、例えば、通常タイプよりもコンパクトな化粧落とし用などのティシュペーパー、特に、ローションなどの液体が塗布された保湿系のティシュペーパーに適用することが好ましいが、本発明はこれに限定されない。
【００２３】
図１は本実施例に係る上蓋部の閉鎖時における紙製のティシュペーパー収納容器１０を示す斜視図であり、また、図２は上蓋部の開放時におけるティシュペーパー収納容器１０を示す斜視図である。両図において、１はティシュペーパー２を積層状態で収納する容器本体であり、該容器本体１は、左右方向を長手方向とする直方体に形成されている。
【００２４】
本実施例の容器本体１の面積は、１６０組乃至２００組のティシュペーパー２が収納された通常タイプのものに比べて小型に形成され、例えば、容器本体１の長手方向の寸法は、通常タイプのものの寸法の６０％乃至８０％に設定されている。但し、本発明は之に限定されない。
【００２５】
図２に示すように、容器本体１の上面部（中蓋部）１３にはティシュペーパー取り出し口３が開穿され、該ティシュペーパー取り出し口３には透明なフィルム４が張設されている。さらに、該フィルム４には左右方向に延びるティシュペーパー引出し用のスリット５が形成されている。
【００２６】
依って、容器本体１内に収納された最上位のティシュペーパー２は、スリット５から引き出して使用される。この場合、最上位のティシュペーパー２を引き出した際に、その直下に位置するティシュペーパー２、即ち、次に使用されるティシュペーパー２の一部分もスリット５の外側に移動するように構成されている。
【００２７】
尚、ティシュペーパー取り出し口３の面積は、容器本体１の上面部１３の面積の３０％乃至６０％に設定されている。又、ティシュペーパー取り出し口３の前後方向の幅寸法は、容器本体１の上面部の幅寸法の４０％乃至６０％に設定されている。
【００２８】
本実施例では、ティシュペーパー取り出し口３は、容器本体１の上面部１３における前後方向中央よりも前方に偏倚して設けられている。このティシュペーパー取り出し口３の容器本体１に対する偏倚量は、容器本体１の上面部１３の所要強度を確保できる範囲で可能な限り大きい方が好ましい。また、該フィルム４に形成したスリット５は、容器本体１の上面部１３における前後方向略中央部に形成されている。
【００２９】
図３に示すように、容器本体１の上面側には、内側に凹所を有する箱状のカバー体６が一体に連設され、カバー体６は、天面部１６に対して下方に折曲する左右の側面部（図４の符号１６Ｌ，１６Ｒ参照）及び前面部１７を有している。
【００３０】
更に、カバー体６の前面部１７から天面部１６に及んで平面視コ字状の切り込み線（破断用ミシン目線）７が形成され（図４参照）、該切り込み線７に沿って切離された部分は上蓋部８として機能する。又、上蓋部８の前後方向における横断面形状は略Ｌ字状（略コ字状も可能）に形成されている。このため、上蓋部８は、容器本体１の上面部１３の上側において前後方向に開閉可能に構成されている。
【００３１】
この場合、上蓋部８の開閉端はカバー体６の前面部１７に位置しているので、上蓋部８を閉じた状態で、カバー体６の前面部１７にてティシュペーパー２の引き出し操作を行うことができる。
【００３２】
本実施例では、上蓋部８の開閉動作の中心は、カバー体６の背面部の上端に設定されている。そして、上蓋部８を閉じたときは、図３に示すように、カバー体６と容器本体１の上面部１３との間に箱型の閉鎖空間Ｓが形成される。依って、スリット５から容器本体１の上面部１３に引き出されたティシュペーパー２は閉鎖空間Ｓ内に収納されるため、従来例のように外部に露出状態で晒されないように構成されている。
【００３３】
次に、上記ティシュペーパー収納容器１０の製造方法について説明する。図４はティシュペーパー収納容器１０の展開図である。同図において、１１は容器本体１の底面部であり、該底面部１１は左右方向を長手方向とする長方形に形成されている。そして、底面部１１の左右両側には側面部１１Ｌ，１１Ｒが折り曲げ可能に連接されている。
【００３４】
又、底面部１１の短手方向一側（同図の下側）には、容器本体１の前面部１２を介して、容器本体１の上面部１３が折り曲げ可能に連接されている。更に、該上面部１３の中央部には前記ティシュペーパー取り出し口３が開穿されていると共に、上面部１３の下端部には糊代部１４が形成されている。
【００３５】
一方、底面部１１の短手方向一側（同図の上側）における左右両側には、背面部１５を介してカバー体６が折り曲げ可能に連接され、前記背面部１５の左右両側には側面部１５Ｌ，１５Ｒが折り曲げ可能に連接されている。      
【００３６】
前記カバー体６は、左右両側に側面部１６Ｌ，１６Ｒが連接された長方形の天面部１６と、該天面部１６の短手方向一側（同図の上側）に連接された前面部１７とから成り、該前面部１７の左右両側には側面部１７Ｌ，１７Ｒが折り曲げ可能に連接されている。
【００３７】
さらに、カバー体６の前面部１７から天面部１６に及んでミシン目状の切り込み線７がコ字状に設けられている。そして、該切り込み線７に沿って分断することでコ字状部分が形成され、このコ字状部分は、前後方向に開閉可能な上蓋部８として機能する。
【００３８】
尚、図４における符号１８は、容器本体１の前面部１２に形成した円弧状の切り込み線であり、又、符号１９は前面部１７における中央部（図１では上蓋部８の前端側の左右方向中央部）に設けた円弧状の把持片であり、この把持片１９は前記切り込み線１８に止着することができる。
【００３９】
次に、ティシュペーパー収納容器１０の組み立て順序の一例を説明する。尚、図４では図示していないが、ティシュペーパー取り出し口３には上記スリット５付きのフィルム４が予め張設されているものとする。
【００４０】
先ず、側面部１５Ｌ，１５Ｒを背面部１５側に直角に折り曲げた後に、該背面部１５を底面部１１側に直角に折り曲げると共に、前面部１２を底面部１１側に直角に折り曲げる。更に、上面部１３を底面部１１側に直角に折り曲げた後に、該上面部１３の糊代部１４を折り曲げて背面部１５に重合させる。
【００４１】
次に、側面部１７Ｌ，１７Ｒを前面部１７側に直角に折り曲げた後に、該前面部１７を天面部１６側に直角に折り曲げると共に、側面部１６Ｌ，１６Ｒを天面部１６側に直角に折り曲げる。更に、該天面部１６を底面部１１側に直角に折り曲げて、天面部１６の側面部１６Ｌ，１６Ｒを底面部１１の側面部１１Ｌ，１１Ｒに重合させる。
【００４２】
そして、上記重合部分の必要箇所、例えば、天面部１６の側面部１６Ｌ，１６Ｒと底面部１１の側面部１１Ｌ，１１Ｒとの重合部分同士、及び、上面部１３の糊代部１４と前記背面部１５との重合部分同士を接着剤で固着することにより、ティシュペーパー収納容器１０の組み立てが完了する。
【００４３】
叙上の如く本発明によると、容器本体１に収納されたティシュペーパー２を使用する際は、先ず、カバー体６に設けた上蓋部８を開放して、ティシュペーパー取り出し口３に張設したフィルム４のスリット５からティシュペーパー２を前方に引き出す。このとき、次に使用されるティシュペーパー２の引き出し部は容器本体１の前面側に移動する。
【００４４】
そのため、上蓋部８を閉じると、図５に示すように、該上蓋部８の前端側の把持部１９とカバー体６の前面部１７との間の隙間にてティシュペーパー２の引き出し部が取り出し可能に係止される。従って、上蓋部８を閉じた状態であっても、前記ティシュペーパー２をカバー体６の前面部１７から片手で容易に取り出すことができる。
【００４５】
更に、本発明に係るティシュペーパー収納容器１０は、容器本体１の上面部が中蓋部として機能し、且つ、その上側に開閉可能な上蓋部８付きのカバー体６を設けたことにより、閉鎖タイプの収納空間を有する二重蓋構造を実現している。依って、次に使用するティシュペーパー２は、図３に示すように、カバー体６と容器本体１の上面部１３との間に形成した閉鎖空間Ｓ内に収納される。
【００４６】
その結果、ティシュペーパー収納容器１０の周囲に塵埃等の異物が存在している場合でも、ティシュペーパー２に塵埃等の異物が付着することが防止される。又、ティシュペーパー収納容器１０の周囲環境が乾燥状態であっても、ティシュペーパー２に塗布した化粧水、消毒液又は芳香液を含むローションの水分（揮発性物質）が蒸発して乾燥することを防止でき、以て、ティシュペーパー２の商品としての付加価値を高めることができる。
【００４７】
本実施例では、ティシュペーパー取り出し口３に張設したフィルム４は、容器本体１の上面部における前後方向中心よりも前方側に偏倚して設けられている。そのため、スリット５から引き出されるティシュペーパー２は、フィルム４が偏倚している距離の分だけ、該フィルム４の表面と摺接する部分の長さが長くなる。従って、上蓋部８を閉じた状態でティシュペーパー２を引き出しても、ティシュペーパー２を一層円滑に引き出すことができる。
【００４８】
又、ティシュペーパー２の不使用時には、上蓋部８を閉じた状態にすることにより、容器本体１の上面部に存在するティシュペーパー２が外部から見えないので、ティシュペーパー２の不使用時における体裁が向上し、加えて、カバー体６の上面には小物類を載置することもできる。
【００４９】
また、本実施例に係る切り込み線７は、図６に示すように、カバー体６の天面部１６から前面部１７に亘って互いに平行に延びる左右一対の直線部Ａ，Ａと、該直線部Ａ，Ａの下端から把持片１９に向かって下方に傾斜する傾斜線部Ｂ，Ｂと、該傾斜線部Ｂ，Ｂの下端と把持片１９の左右両端とを結ぶ曲線部Ｃ，Ｃとの３つの部分から構成されている。
【００５０】
そして、切り込み線７の３つ部分のうち直線部Ａ，Ａの破断強度は、傾斜線部Ｂ，Ｂ及び曲線部Ｃ，Ｃの破断強度よりも大きく、且つ、該曲線部Ｃ，Ｃの破断強度は傾斜線部Ｂ，Ｂの破断強度よりも大きくなるように設定されている。
【００５１】
この場合、切り込み線７はカット部とボンド部（結合部）を交互に繰り返して設けられるが、直線部Ａ，Ａのボンド部割合（破断強度に対応する値）、即ち、カット部の長さＬ１とボンド部の長さＬ２の合計に対するボンド部の長さＬ２の寸法の比率Ｌ２/(Ｌ1＋Ｌ２)は２０〜２５％、傾斜線部Ｂ，Ｂのボンド部割合は１０〜１４％、曲線部Ｃ，Ｃのボンド部割合は１５〜１８％に設定することが好ましい。
【００５２】
又、図６に記載されているミシン目は、シングルミシン目であり、ダブルミシン目の場合も考えられるので、ダブルミシン目の場合も同様の強度差を備えることにより、良好な切込み線が設定できる。
【００５３】
実際に、表１に示すように、上記ボンド部割合を満たす実施例１のテストピース、及び上記ボンド部割合を満たさない比較例１，２，３のテストピースを作製した。
【００５４】
【表１】
2010228789.tif 000003
【００５５】
そして、各ピストピースについて直線部Ａ，Ａ、傾斜線部Ｂ，Ｂ及び曲線部Ｃ，Ｃに要求された破断強度について評価した。その結果、実施例１のテストピースは、前記直線部Ａ，Ａ、傾斜線部Ｂ，Ｂ及び曲線部Ｃ，Ｃに要求されたそれぞれの破断強度を全て満足したが、比較例１，２，３のテストピースは、前記直線部Ａ，Ａ、傾斜線部Ｂ，Ｂ及び曲線部Ｃ，Ｃに要求されたそれぞれの破断強度を満足しなかった。
【００５６】
例えば、比較例２，３は、直線部Ａ，Ａのボンド部割合が２０％未満でであったので、直線部Ａ，Ａの破断強度が弱くなり、また、比較例２は、傾斜線部Ｂ，Ｂのボンド部割合が１４％を超えていたので、傾斜線部Ｂ，Ｂの破断強度が強すぎるという欠点を有していた。
【００５７】
これに対して、実施例１は上記ボンド部割合を満たすことにより、傾斜線部Ｂ，Ｂが最も破断し易いので、カバー体６から上蓋部８を切り離すべく、該カバー体６の前面部１７から把持片８を引き上げると、該前面部１７において曲線部Ｃ，Ｃから容易に破断した後に直線部Ａ，Ａに沿って破断した。コ字状の上蓋部８を容易に切り離すことができると共に、カバー体６の上に小物類を置いた際の支持強度を向上させることができた。
【００５８】
なお、本発明は、本発明の精神を逸脱しない限り種々の改変を為すことができ、そして、本発明が該改変されたものに及ぶことは当然である。
【産業上の利用可能性】
【００５９】
本発明は、ティシュペーパー収納容器の形状、ティシュペーパー取り出し口の形状又はティシュペーパーの種類等については上記実施例に限定されるものではなく、容器本体の上面部にティシュペーパー取り出し口を形成した構造のティシュペーパー収納容器であれば、全て適用可能である。
【符号の説明】
【００６０】
１    容器本体
２    ティシュペーパー
３    ティシュペーパー取り出し口
４    フィルム
５    スリット
６    カバー体
７    切り込み線（ミシン目線）
８    上蓋部
１０  ティシュペーパー収納容器
１３  上面部（中蓋部）
１６  天面部
【図１】
2010228789.tif 000004
【図２】
2010228789.tif 000005
【図３】
2010228789.tif 000006
【図４】
2010228789.tif 000007
【図５】
2010228789.tif 000008
【図６】
2010228789.tif 000009